(57)【特許請求の範囲】
【請求項１】
少なくとも体腔内へ所定の気体を送気させて処置を行う医療機器を含む内視鏡手術システムで用いられる、前記体腔内へ所定の気体を送気する気腹装置であって、
少なくとも、腔圧についての設定値及び測定値を表示させると共に該腔圧についての設定スイッチを含む腔圧表示設定領域を有し、更に、送気流量の設定値と測定値及び積算流量の測定値を表示させると共に該送気についての設定スイッチを含む送気表示設定領域、及び／又は腔のサイズについての設定を表示させると共に腔のサイズを設定する設定スイッチを含む腔サイズ設定領域、及び／又は排煙量についての設定を表示させると共に排煙量を設定する設定スイッチを含む排煙量設定領域を含む表示部と、
前記表示部の表示状態を第１の表示状態、第２の表示状態、第３の表示状態へ順次切り替える指示を行う表示切替部と、
前記表示切替部による指示に応じて、前記腔圧表示設定領域、前記送気表示設定領域、前記腔サイズ設定領域または前記排煙量設定領域を表示または非表示にして、前記表示部の表示状態を切り替える制御部と、
を備えることを特徴とする気腹装置。
【請求項２】
前記制御部は、前記第１の表示状態の場合には少なくとも前記腔圧表示設定領域、前記送気表示設定領域、前記腔サイズ設定領域、前記排煙量設定領域のいずれか１つを表示させ、前記第２の表示状態の場合には少なくとも前記腔圧表示設定領域、前記送気表示設定領域、前記腔サイズ設定領域、前記排煙量設定領域のいずれか１つを前記第１の表示状態とは異なる組み合わせで表示させ、前記第３の表示状態の場合には少なくとも前記腔圧表示設定領域、前記送気表示設定領域、前記腔サイズ設定領域、前記排煙量設定領域のいずれか１つを前記第１の表示状態および前記第２の表示状態とは異なる組み合わせで表示させる
ことを特徴とする請求項１に記載の気腹装置。
【請求項３】
前記制御部は、
前記腔圧表示設定領域が表示される場合、前記腔圧についての設定スイッチを表示すると共に入力可能状態にし、前記腔圧表示設定領域が非表示の場合、該腔圧についての設定スイッチを非表示にすると共に入力不能状態にし、
前記送気表示設定領域が表示される場合、前記送気についての設定スイッチを表示すると共に入力可能状態にし、前記送気表示設定領域が非表示の場合、前記送気についての設定スイッチを非表示にすると共に入力不能状態にし、
前記腔サイズ設定領域が表示される場合、前記腔のサイズを設定する設定スイッチを表示すると共に入力可能状態にし、前記腔サイズ設定領域が非表示の場合、前記腔のサイズを設定する設定スイッチを非表示にすると共に入力不能状態にし、
前記排煙量設定領域が表示される場合、前記排煙量を設定する設定スイッチを表示すると共に入力可能状態にし、前記排煙量設定領域が非表示の場合、前記排煙量を設定する設定スイッチを非表示にすると共に入力不能状態にする
ことを特徴とする請求項１に記載の気腹装置。
【発明の詳細な説明】
【技術分野】
【０００１】
本発明は、内視鏡手術において、腹腔内及び管腔内等に気体を供給し、吸引する気腹装置に関する。
【背景技術】
【０００２】
近年、患者への侵襲を小さくする目的で、開腹することなく、治療処置を行う腹腔鏡下外科手術が行われている。この腹腔鏡下外科手術においては、患者の腹部に、例えば観察用の内視鏡を体腔内に導く第１のトロカールと、処置具を処置部位に導く第２のトロカールとが穿刺される。この腹腔鏡下外科手術では、第１のトロカールの挿通孔を介して腹腔内に挿入された内視鏡を用いて、処置部位と第２のトロカールの挿通孔を介して挿入された処置具を観察しながら処置等が行われる。
【０００３】
このような腹腔鏡下外科手術においては、内視鏡の視野を確保する目的及び処置具を操作するための領域を確保する目的で、気腹装置が用いられている（例えば、特許文献１、特許文献２、特許文献３、特許文献４。）。気腹装置は、腹腔内に気腹用気体として例えば二酸化炭素ガスなどを注入することができる。送気装置のフロントパネルには、操作を行うための機能や表示機能が設けられている。
【０００４】
例えば、特許文献３では、送気装置のフロントパネルには、操作情報を入力するための設定操作手段である設定操作部及び表示部が設けられている。これら設定操作部及び表示部は、炭酸ガスボンベに関する設定、操作及び表示のための供給源設定表示部と、腹腔に関する設定、操作及び表示のための腹腔用設定表示部と、管腔に関する設定、操作及び表示のための管腔用設定表示部とに分割されている。
【先行技術文献】
【特許文献】
【０００５】
【特許文献１】特開２００６−２８８５５３号公報
【特許文献２】特開平１１−１５５８６９号公報
【特許文献３】特開２００６−１８１１０８号公報
【特許文献４】実用新案登録第２５５０３２１号
【発明の概要】
【発明が解決しようとする課題】
【０００６】
しかしながら、従来、気腹装置の使用中、気腹装置の表示部は常に全点灯であったため、必要のない情報までユーザの目に入ってしまい、負担になっていた。
そこで、ユーザの用途に応じて、ユーザが必要としている情報のみを表示させる表示部を含む気腹装置を提供する。
【課題を解決するための手段】
【０００７】
本発明に係る、少なくとも体腔内へ所定の気体を送気させて処置を行う医療機器を含む内視鏡手術システムで用いられる、前記体腔内へ所定の気体を送気する気腹装置は、少なくとも、腔圧についての設定値及び測定値を表示させると共に該腔圧についての設定スイッチを含む腔圧表示設定領域を有し、更に、送気流量の設定値と測定値及び積算流量の測定値を表示させると共に該送気についての設定スイッチを含む送気表示設定領域、及び／又は腔のサイズについての設定を表示させると共に腔のサイズを設定する設定スイッチを含む腔サイズ設定領域、及び／又は排煙量についての設定を表示させると共に排煙量を設定する設定スイッチを含む排煙量設定領域を含む表示部と、前記表示部の表示状態を第１の表示状態、第２の表示状態、第３の表示状態へ順次切り替える指示を行う表示切替部と、前記表示切替部による指示に応じて、前記腔圧表示設定領域、前記送気表示設定領域、前記腔サイズ設定領域または前記排煙量設定領域を表示または非表示にして、前記表示部の表示状態を第１の表示状態、第２の表示状態、第３の表示状態へ順次切り替える制御部と、を備える。
【０００８】
前記気腹装置において、前記第１の表示状態の場合には少なくとも前記腔圧表示設定領域、前記送気表示設定領域、前記腔サイズ設定領域、前記排煙量設定領域のいずれか１つを表示させ、前記第２の表示状態の場合には少なくとも前記腔圧表示設定領域、前記送気表示設定領域、前記腔サイズ設定領域、前記排煙量設定領域のいずれか１つを前記第１の表示状態とは異なる組み合わせで表示させ、前記第３の表示状態の場合には少なくとも前記腔圧表示設定領域、前記送気表示設定領域、前記腔サイズ設定領域、前記排煙量設定領域のいずれか１つを前記第１の表示状態および前記第２の表示状態とは異なる組み合わせで表示させる。
【０００９】
前記気腹装置において、前記腔圧表示設定領域が表示される場合、前記腔圧についての設定スイッチを表示すると共に入力可能状態にし、前記腔圧表示設定領域が非表示の場合、該腔圧についての設定スイッチを非表示にすると共に入力不能状態にし、前記送気表示設定領域が表示される場合、前記送気についての設定スイッチを表示すると共に入力可能状態にし、前記送気表示設定領域が非表示の場合、前記送気についての設定スイッチを非表示にすると共に入力不能状態にし、前記腔サイズ設定領域が表示される場合、前記腔のサイズを設定する設定スイッチを表示すると共に入力可能状態にし、前記腔サイズ設定領域が非表示の場合、前記腔のサイズを設定する設定スイッチを非表示にすると共に入力不能状態にし、前記排煙量設定領域が表示される場合、前記排煙量を設定する設定スイッチを表示すると共に入力可能状態にし、前記排煙量設定領域が非表示の場合、前記排煙量を設定する設定スイッチを非表示にすると共に入力不能状態にする。
【発明の効果】
【００１０】
本発明によれば、ユーザの用途に応じて、気腹装置の表示部にユーザが必要としている情報のみを表示させることができるので、ユーザの負担を軽減させることができる。
【図面の簡単な説明】
【００１１】
【図１】第１の実施形態における内視鏡手術システムを示す。
【図２】第１の実施形態における気腹装置のフロントパネルの表示部の表示モード１を示す。
【図３】第１の実施形態における気腹装置のフロントパネルの表示部の表示モード２を示す。
【図４】第１の実施形態における気腹装置のフロントパネルの表示部の表示モード３を示す。
【図５】第１の実施形態における表示部５０の表示モードの切替フローを示す。
【図６】第３の実施形態（実施例１）における内視鏡システムを示す。
【図７】第３の実施形態（実施例２）における内視鏡システムを示す。
【発明を実施するための形態】
【００１２】
＜第１の実施形態＞
図１は、本実施形態における内視鏡手術システムを示す。図１において、内視鏡手術システム１には、電気メス出力装置２、ビデオプロセッサ３、光源装置４、気腹装置５等の医療機器が含まれる。
【００１３】
手術台１３には、患者１５が横たわっている。電気メス６は、電気メスケーブル１４により電気メス出力装置２と接続されている。
光源装置４は、照明光を伝送するライトガイドケーブル８を介して第１の内視鏡用カメラ７に接続されている。光源装置４の照明光は、内視鏡用カメラ７のライトガイドケーブル８に供給されると、内視鏡用カメラ７の挿入部が刺入された患者１５の腹部内の患部等を照明する。
【００１４】
内視鏡用カメラ７により撮像された光学像データは、撮像ケーブル９を介してビデオプロセッサ３に伝送される。その光学像データはビデオプロセッサ３内の信号処理回路で信号処理されて、ビデオ信号が生成される。そのビデオ信号が表示装置に出力されて、内視鏡画像が表示される。
【００１５】
患者１５の腹腔内には、トロカール１０ａ，１０ｂが穿刺されている。気腹装置５から延出した気腹チューブ１１は、トロカール１０ａに挿入されて腹腔内に導入されている。吸引装置４０から延出した吸引チューブ１２は、トロカール１０ｂに挿入されて腹腔内に導入されている。
【００１６】
気腹装置５は、内視鏡カメラ７の視野及び処置部位に対して処置する空間を確保するために、腹部等に穿刺されたトロカール１０ａに挿入した気腹チューブ１２から腹腔内にＣＯ2ガスを供給したり、腹腔内の圧力を一定に維持するために、腹部等に穿刺されたトロカール１０ｂに挿入した吸引チューブ１２からそのＣＯ2ガスを排出したりする装置である。なお、ＣＯ2ガスは、ガスボンベ等の炭酸ガス供給源４２に充填されている。
【００１７】
気腹装置５は、制御部２１、１次減圧装置２２、２次減圧装置２３、開閉弁２４、第１圧力センサ２５、第２圧力センサ２６、流量センサ２７、安全弁２８、表示基板２９、電源基板３０、口金３１、ピンチバルブ３２、送気管路３３から構成される。
【００１８】
電源基板３０は、電源４１から供給された電力を調整し、制御基板２１及ぶその他の電子デバイスへ提供する。
送気管路３３には、１次減圧装置２２、２次減圧装置２３、開閉弁２４、第１圧力センサ２５、第２圧力センサ２６、流量センサ２７、安全弁２８が配設されている。
【００１９】
炭酸ガス供給源から供給された炭酸ガスは、送気管路３３を通って、１次減圧装置２２へ導入する。１次減圧装置２２は、送気管路３３より導入された炭酸ガスを所定の圧力に減圧する。１次減圧装置２２で減圧された炭酸ガスは、送気管路３３を通って、２次減圧装置２３へ導入する。
【００２０】
２次減圧装置２３は、制御基板２１の制御によって電気的に、炭酸ガスの圧力を腹腔に送気しても大丈夫な圧力に、調節して減圧する。２次減圧装置２３で減圧された炭酸ガスは、送気管路３３を通って、開閉弁２４へ導入する。
【００２１】
開閉弁２４は、腹腔に送気するガス量を調整するためのものであって、制御基板２１から出力される制御信号に基づいて開閉動作する。第１圧力センサ２５は、送気管路３３内の圧力を検知する。第２圧力センサ２６は、第１圧力センサ２５よりも測定精度が低いセンサであって、第１圧力センサ２５による測定結果と比較するために用いる。制御基板２１は、第１圧力センサ２５の測定結果が、第２圧力センサ２６の測定結果の許容範囲内であれば、第１圧力センサ２５及び第２圧力センサ２６が正常に動作していると判定する。流量センサ２７は、送気管路３３内を流れる炭酸ガスの流量を測定して、その測定結果を制御基板２１に出力する。
【００２２】
安全弁２８は、腹腔内圧が高くなったときにリリーフを行うものであって、制御基板２１からの制御信号に基づいて開閉動作する。安全弁２８が開状態のとき、安全弁２８に送られたガスは、大気中に放出される。これにより、腹腔内又は管腔内の炭酸ガスが大気中に放出されて、腹腔圧又は管腔圧が減圧されるようになっている。
【００２３】
開閉弁２４を通った炭酸ガスは、口金３１より送出され、気腹チューブ１１へ導入される。は、トロカール１０ａに挿入されて腹腔内に導入されている。炭酸ガスは、吸引チューブ１２、トロカール１０ｂを介して、腹腔内に導入される。
【００２４】
吸引装置４０に接続された吸引チューブ１２は、ピンチバルブ３２を通って、トロカール１０ｂにより導入され、腹腔内に導入されている。ピンチバルブ３２は、制御基板２１からの制御信号に基づいて開閉動作することにより、吸引チューブ１２内の管路を閉じたり、開けたりすることができる。
【００２５】
制御基板２１は、不図示の、中央処理装置（ＣＰＵ）、リードオンリーメモリ（ＲＯＭ）、ランダムアクセスメモリ（ＲＡＭ）等を備える。制御基板２１は、気腹装置５内の、２次減圧装置２３、開閉弁２４、第１圧力センサ２５、第２圧力センサ２６、流量センサ２７、安全弁２８、表示基板２９、ピンチバルブ３２等の動作を制御する。
【００２６】
表示基板２９は、気腹装置２９のフロントパネル４５に設けられた表示部５２（図２−図４）を点灯させたり、測定値を表示させたり、ボタン、スイッチ等による入力を電気的に検出したりするための電子基板である。
【００２７】
図２−図４は、本実施形態における気腹装置のフロントパネルの表示部の一連の表示モードの遷移を示す。具体的には、図２は、本実施形態における気腹装置のフロントパネルの表示部の表示モード１を示す。図３は、本実施形態における気腹装置のフロントパネルの表示部の表示モード２を示す。図４は、本実施形態における気腹装置のフロントパネルの表示部の表示モード３を示す。以下では、説明の便宜のため、図４の「表示モード３」の場合のフロントパネルを用いて説明する。
【００２８】
フロントパネル５０には、電源スイッチ５１、表示部５２が設けられている。なお、フロントパネル５０には、吸引チューブ１２が接続される吸引制御ピンチバルブと、気腹チューブ１１または中継チューブか接続される送気口金とが設けられていてもよい。
【００２９】
電源スイッチ５１を押下すると電源が入る。
表示部５２には、腔圧設定スイッチ５３、送気流量モード選択スイッチ５４、送気流量設定スイッチ５５、リセットスイッチ５６、表示切替スイッチ５７、腔モード選択スイッチ５８、排煙モード選択スイッチ５９、送気開始／停止スイッチ６０、設定圧力表示計６１、腔圧表示計６２、注意表示灯６３、腔加圧注意表示灯６４、設定／送気流量計６５、チューブ詰まり注意表示灯６６、積算流量表示計６７、供給圧表示バーグラフ６８、腔モード表示灯６９、排煙モード表示灯７０、腔圧表示バーグラフ７１、送気流量表示灯７２、送気流量表示バーグラフ７３、送気開始／停止表示灯７４が表示される。
【００３０】
腔圧設定スイッチ５３を用いると、腔圧を設定することができる。腔圧設定スイッチ５３の「＋」を押下すると設定値が増加し、「−」を押下すると設定値が減少する。設定圧力表示計６１には、腔圧設定スイッチ５３で設定した圧力の数値が表示される。腔圧表示計６２には、腔圧の測定値が表示される。腔圧表示バーグラフ７１は、設定圧に対する腔圧レベルを表示し、設定圧の場合は点滅する。
【００３１】
送気流量モード選択スイッチ５４を用いると、流量を選択することができる。送気流量モード選択スイッチ５４を１回押下する毎に、「低」→「中」→「高」→「低」→・・・と変化する。送気流量表示灯７２には、送気流量モード選択スイッチ５４で選択した送気流量を表す部分が点灯する。
【００３２】
送気流量設定スイッチ５５を用いると、送気流量を設定することができる。送気流量設定スイッチ５５の「＋」を押下すると設定値が増加し、「−」を押下すると設定値が減少する。設定／送気流量計６５には、送気流量設定スイッチ５５で設定した送気流量の数値が表示される。送気流量表示バーグラフ７３には、送気流量レベルが表示される。積算流量表示計６７は、使用したガスの量を表示する。
【００３３】
リセットスイッチ５６を押下すると、積算流量の表示値を０．０［L］に戻す。
供給圧表示バーグラフ６８は、接続された炭酸ガスボンベまたは医療ガス配管の圧力レベルを表示する。ガスの供給圧が０になり、送気ができなくなったときには警告音と共に一番下の黄色LED（light-emitting diode）が点灯する。注意表示灯６３は、注意が発生したときに点灯する。
【００３４】
腔モード選択スイッチ５８を押下すると、腔のサイズ（「標準」または「小」）（腔モード）を切り替えることができる。腔モード表示灯６９は、腔モード選択スイッチ５８により選択された腔モードが点灯する。
【００３５】
排煙モード選択スイッチ５９を用いると、排煙モードを切り替えて、排煙流量の設定値を切り替えることができる。排煙モード選択スイッチ５９を１回押下する毎に、「切」→「低」→「高」→「切」→・・・と変化する。排煙モード表示灯７０は、排煙モード選択スイッチ５９により選択された排煙モードが点灯する。なお、排煙モード選択スイッチ５９に関して、「＋」スイッチ及び「−」スイッチを設けて、例えば、１Ｌ／min単位で設定値を変更できるようにしてもよい。
【００３６】
送気開始／停止スイッチ６０を押下すると、送気動作を開始及び停止する。送気開始／停止表示灯７４は、送気開始／停止スイッチ６０により選択された送気動作を点灯する。
表示切替スイッチ５７を用いると、表示部５２の表示モードを切り替えることができる。表示切替スイッチ５７を１回押下する毎に、「表示モード１」→「表示モード２」→「表示モード３」→「表示モード１」→・・・と、表示部５２の表示モードが変化する。
【００３７】
「表示モード１」は、図２で示すように、表示部５２において、腔モード表示灯６９、腔モード選択スイッチ５８、排煙モード表示灯７０、排煙モード選択スイッチ５９が非表示になっている。なお、スイッチが非表示の場合には、入力も受け付けない。
【００３８】
「表示モード２」は、図３で示すように、表示部５２において、注意表示灯６３、設定／送気流量計６５、積算流量表示計６７、送気流量設定スイッチ５５、リセットスイッチ５６、送気流量表示バーグラフ７３、腔モード表示灯６９、腔モード選択スイッチ５８、排煙モード表示灯７０、排煙モード選択スイッチ５９が非表示になっている。なお、スイッチが非表示の場合には、入力も受け付けない。
【００３９】
図５は、本実施形態における表示部５２の表示モードの切替フローを示す。例えば、初期の表示モードが表示モード３であるとする。この場合、表示切替スイッチ５７を押下すると、制御基板２１に設けられた制御部は、表示部の表示モードを、圧力情報のみを提供する表示モード１に切り替える（Ｓ１）。さらに、表示切替スイッチ５７を押下すると、制御基板２１に設けられた制御部は、表示部の表示モードを、圧力情報及び流量に関する情報のみを提供する表示モード２に切り替える（Ｓ２）。さらに、表示切替スイッチ５７を押下すると、制御基板２１に設けられた制御部は、全ての情報を提供する表示モード３に切り替える（Ｓ３）。
【００４０】
なお、上記において、表示部５２は、タッチパネルにより実現してもよい。また、表示部５２において、設定値または測定値、警告等を表示する各表示領域と、各スイッチとが固定で設けられていてもよい。このとき、各スイッチは、その裏から照明が点灯されて表示されていてもよく、この場合にそのスイッチを入力可能状態にしてもよい。また、その照明が消灯している場合にはそのスイッチを入力不能状態としてもよい。
【００４１】
このように、少なくとも体腔内へ所定の気体を送気させて処置を行う医療機器を含む内視鏡手術システムで用いられる、前記体腔内へ所定の気体を送気する気腹装置は、表示部、表示切替部、制御部を含む。表示部は、少なくとも、腔圧表示設定領域を有し、更に、送気表示設定領域、及び／または腔サイズ設定領域、及び／または排煙量設定領域を含む。
【００４２】
腔圧表示設定領域は、腔圧についての設定値及び測定値を表示させると共に該腔圧についての設定スイッチを含む。腔圧表示設定領域には、本実施形態で言えば、例えば、腔圧設定スイッチ５３、設定圧力表示計６１、腔圧表示計６２、腔圧表示バーグラフ７１が含まれる。該腔圧についての設定スイッチとは、例えば、腔圧設定スイッチ５３である。
【００４３】
送気表示設定領域は、送気流量の設定値と測定値及び積算流量の測定値を表示させると共に該送気についての設定スイッチを含む。送気表示設定領域には、本実施形態で言えば、例えば、送気流量設定スイッチ５５、設定／送気流量計６５、積算流量表示計６７、送気流量表示バーグラフ７３が含まれる。送気についての設定スイッチとは、例えば、送気流量設定スイッチ５５である。
【００４４】
腔サイズ設定領域は、腔のサイズを設定する設定スイッチを含む。腔サイズ設定領域には、本実施形態で言えば、例えば、腔モード選択スイッチ５８、腔モード表示灯６９が含まれる。腔のサイズを設定する設定スイッチとは、例えば、腔モード選択スイッチ５８である。
【００４５】
排煙量設定領域は、排煙量を設定する設定スイッチを含む。排煙量設定領域には、本実施形態で言えば、例えば、排煙モード選択スイッチ５９、排煙モード表示灯７０が含まれる。排煙量を設定する設定スイッチとは、例えば、排煙モード選択スイッチ５９である。
【００４６】
表示切替部は、前記表示部の表示状態を切り替える指示を行う。表示切替部は、本実施形態で言えば、例えば、表示切替スイッチ５７である。
制御部は、前記表示切替部による指示に応じて、前記腔圧表示設定領域、前記送気表示設定領域、前記腔サイズ設定領域または前記排煙量設定領域を表示または非表示にして、前記表示部の表示状態を切り替える。前記制御部は、本実施形態で言えば、例えば、制御基板２１、より詳しくは、例えば、制御基板２１に搭載されているＣＰＵである。
【００４７】
このように構成することにより、ユーザの用途に応じて、ユーザが必要としている情報のみを気腹装置の表示部に表示させることができる。
また、前記制御部は、前記表示部の表示状態を第１の表示状態、第２の表示状態、第３の表示状態へ順次切り替える。前記制御部は、前記第１の表示状態の場合には前記腔圧表示設定領域及び前記送気表示設定領域を表示させる。前記制御部は、前記第２の表示状態の場合には前記腔圧表示設定領域を表示させる。前記制御部は、前記第３の表示状態の場合には、前記腔圧表示設定領域、前記送気表示設定領域、前記腔サイズ設定領域及び前記排煙量設定領域を表示させる。
【００４８】
このように構成することにより、前記表示部の表示状態を第１の表示状態、第２の表示状態、第３の表示状態へ順次切り替えることができる。
前記制御部は、前記腔圧表示設定領域が表示される場合、前記腔圧についての設定スイッチを表示すると共に入力可能状態にする。前記制御部は、前記腔圧表示設定領域が非表示の場合、該腔圧についての設定スイッチを非表示にすると共に入力不能状態にする。前記制御部は、前記送気表示設定領域が表示される場合、前記送気についての設定スイッチを表示すると共に入力可能状態にする。前記制御部は、前記送気表示設定領域が非表示の場合、前記送気についての設定スイッチを非表示にすると共に入力不能状態にする。前記制御部は、前記腔サイズ設定領域が表示される場合、前記腔のサイズを設定する設定スイッチを表示すると共に入力可能状態にする。前記制御部は、前記腔サイズ設定領域が非表示の場合、前記腔のサイズを設定する設定スイッチを非表示にすると共に入力不能状態にする。前記制御部は、前記排煙量設定領域が表示される場合、前記排煙量を設定する設定スイッチを表示すると共に入力可能状態にする。前記制御部は、前記排煙量設定領域が非表示の場合、前記排煙量を設定する設定スイッチを非表示にすると共に入力不能状態にする。
【００４９】
このように構成することにより、各設定スイッチを表示／非表示状態にすると共に、使用可能／使用不能状態にすることができる。更に、図６及び図７に示す第３の実施形態の軟性内視鏡下でのシステムにおいても同様の作用を実現できる。
【００５０】
本実施形態によれば、ユーザの使用用途や好みに合わせた情報提供ができるように、表示部５２の点灯パターンを数種類設けた。これによれば、表示部５２にユーザの必要としている情報のみを表示させることにより、ユーザの負担を軽減することができる。
【００５１】
＜第２の実施形態＞
気腹器の送気アルゴリズムは、腹腔の大きさに合わせたアルゴリズムのみである。しかしながら、腹腔よりも小さな腔に送気した場合、オーバーシュートが発生することが多い。
【００５２】
そこで、本実施形態では、腹腔よりも小さな腔への送気には、腹腔よりも小さな腔の大きさに合わせた小腔向けの送気アルゴリズムについて説明する。
小腔向けの送気アルゴリズムでは、腹腔向け送気アルゴリズムと比べて、最大送気圧をより低く設定する（例えば、３０ｍｍHg）。
【００５３】
また、小腔向けの送気アルゴリズムでは、腹腔向け送気アルゴリズムと比べて、設定流量に対して送気時に測定した流量が低い場合には、送気圧を上げる処理を実施しない。
また、腹腔向けのアルゴリズムでは、送気開始時に弱めに送気をして様子を見る処理を設けているが、小腔向けのアルゴリズムでは、常に弱めの送気しか行わないため、この処理を実施しない。
【００５４】
本実施形態の気腹装置によれば、小腔向け送気アルゴリズムを用いることにより、腹腔向け送気アルゴリズムよりも小さい腔に対して、より最適な送気（オーバーシュートの少ない送気）を提供することを実現できる。
【００５５】
＜第３の実施形態＞
現在、内視鏡下の手技では、術視野と作業スペースの確保を行うため、対象腔を空気または炭酸ガスで膨らませている。対象腔を膨らませるに当たり、マニュアル操作で内視鏡の送気送水ボタンを押下することで、内視鏡の送気送水チャンネル経由で送気を行う。
【００５６】
しかし、近年、内視鏡下手技の多様化・複雑化に伴い（例えば、ESD、NOTES）、マニュアル操作での視野確保に不都合が生じている。ESD は、Endoscopic submucosal dissectionの略称である。NOTESは、Natural Orifice Translumenal Endo- scopic Surgeryの略称である。
【００５７】
そこで、本実施形態では、術視野を確保するための送気の自動制御を可能にし、操作者が視野確保するための作業工数を低減し、手技（内視鏡や鉗子の操作）に集中できるようにする。
【００５８】
図６は、第３の実施形態（実施例１）における内視鏡システムを示す。内視鏡システムは、気腹装置８０、内視鏡８１、気腹チューブ８２、鉗子チャンネル８３を有する。鉗子チャンネル８３は、内視鏡８１の操作部近傍に設けられており、鉗子を送気対象８４内に誘導するためのチャンネルである。本実施例では、鉗子チャンネル８３に送気装置８０を接続し、内視鏡８１を通じて送気対象８４への送気を行う。
【００５９】
本実施例によれば、内視鏡の有するチャンネルの中で最も内径が大きい（空間が広い）ものが鉗子チャンネルであり、このチャンネルを使用して流体の送気や圧力センシングを行う。これにより、内視鏡下でも高い出力流量で送気でき、また速いレスポンスで圧力センシングが可能となる。
【００６０】
図７は、第３の実施形態（実施例２）における内視鏡システムを示す。すなわち、図７のように、内視鏡の鉗子チャンネルと気腹チューブとの間にT字管８６を接続することで、鉗子チャンネルに鉗子を挿入できるようにしてもよい。実施例２は、実施例１を改良し、チャンネルに鉗子を入れた状態での送気を可能にする。図７において、T字管８６の下方を鉗子に接続し、T字管８６の横方向に伸びた管を気腹装置８０から延出した気腹チューブ８２に接続する。また、T字管の上部分から鉗子８７を挿入することができる。なお、T字管８６と気腹チューブ８２との接続方法はルアー形状またはタケノコ形状が望ましい。
【００６１】
なお、本発明は、以上に述べた実施の形態に限定されるものではなく、本発明の要旨を逸脱しない範囲内で種々の構成または実施形態を取ることができる。
【符号の説明】
【００６２】
１      内視鏡手術システム
２      電気メス出力装置
３      ビデオプロセッサ
４      光源装置
５      気腹装置
６      電気メス
７      内視鏡用カメラ
８      ライトガイドケーブル
９      撮像ケーブル
１０ａ，１０ｂ  トロカール
１１    気腹チューブ
１２    吸引チューブ
１３    手術台
１４    電気メスケーブル
１５    患者
２１    制御部
２２    １次減圧装置
２３    ２次減圧装置
２４    開閉弁
２５    第１圧力センサ
２６    第２圧力センサ
２７    流量センサ
２８    安全弁
２９    表示基板
３０    電源基板
３１    口金
３２    ピンチバルブ
３３    送気管路
４０    吸引装置
４１    電源
４２    炭酸ガス供給源
５０    フロントパネル
５１    電源スイッチ
５２    表示部
５３    腔圧設定スイッチ
５４    送気流量モード選択スイッチ
５５    送気流量設定スイッチ
５６    リセットスイッチ
５７    表示切替スイッチ
５８    腔モード選択スイッチ
５９    排煙モード選択スイッチ
６０    送気開始／停止スイッチ
６１    設定圧力表示計
６２    腔圧表示計
６３    注意表示灯
６４    腔加圧注意表示灯
６５    設定／送気流量計
６６    チューブ詰まり注意表示灯
６７    積算流量表示計
６８    供給圧表示バーグラフ
６９    腔モード表示灯
７０    排煙モード表示灯
７１    腔圧表示バーグラフ
７２    送気流量表示灯
７３    送気流量表示バーグラフ
７４    送気開始／停止表示灯
【図１】
0005592826.tif 000002
【図２】
0005592826.tif 000003
【図３】
0005592826.tif 000004
【図４】
0005592826.tif 000005
【図５】
0005592826.tif 000006
【図６】
0005592826.tif 000007
【図７】
0005592826.tif 000008